(57)【要約】【課題】雷サージの対策としてパルストランスを備え、１００ＢＡＳＥ−Ｔと１００ＢＡＳＥ−ＴＸの２つの規格のいずれの伝送ケーブルでの接続が可能であり、かつ正確に同期信号を伝送することができるマスター通信装置、スレーブ通信装置、通信システムおよび通信方法を提供する。【解決手段】ＲＳ４２２ドライバ３６は、パルストランス回路２０から出力される差動信号を第１のシングルエンド信号に変換する。反転回路３４は、パルストランス回路２０から出力される差動信号の正負を反転する。ＲＳ４２２ドライバ３８は、反転回路３４から出力される差動信号を第２のシングルエンド信号に変換する。選択回路４０は、第１のシングルエンド信号および第２のシングルエンド信号のタイミングに基づいて、これらの信号のいずれかを選択して同期信号として出力する。【選択図】図２
2011176593.tif 000002
【特許請求の範囲】
【請求項１】
デューティ比Ｄ（０＜Ｄ＜１、Ｄ≠０．５）を有する同期信号を生成する同期信号生成回路と、
前記同期信号を差動信号に変換する第１の変換回路と、
前記差動信号を受ける第１のパルストランスと、
前記第１のパルストランスから出力される差動信号をイーサーネットケーブルを通じてスレーブ通信装置に送信する第１のインタフェース回路とを備えたマスター通信装置。
【請求項２】
請求項１記載のマスター通信装置からイーサーネットケーブルを通じて差動信号を受信する第２のインタフェース回路と、
前記第２のインタフェース回路から出力される差動信号を受ける第２のパルストランスと、
前記第２のパルストランスから出力される差動信号を第１のシングルエンド信号に変換する第２の変換回路と、
前記第２のパルストランスから出力される差動信号を反転する反転回路と、
前記反転回路から出力される差動信号を第２のシングルエンド信号に変換する第３の変換回路と、
前記第１のシングルエンド信号および前記第２のシングルエンド信号のタイミングに基づいて、前記第１のシングルエンド信号および前記第２のシングルエンド信号のいずれかを選択して同期信号として出力する選択回路とを備えたスレーブ通信装置。
【請求項３】
前記選択回路は、
前記第２の変換回路から出力される第１のシングルエンド信号のエッジを検出する第１の検出部と、
前記第３の変換回路から出力される第２のシングルエンド信号のエッジを検出する第２の検出部と、
前記第１のシングルエンド信号のエッジのタイミングと１つ前の前記第２のシングルエンド信号のエッジのタイミングとの第１の差を算出する第１の減算部と、
前記第２のシングルエンド信号のエッジのタイミングと１つ前の前記第１のシングルエンド信号のエッジのタイミングとの第２の差を算出する第２の減算部と、
前記第１の差と前記第２の差に基づいて、前記第１のシングルエンド信号と前記第２のシングルエンド信号のいずれを選択するかを判定する判定部と、
前記選択された信号を同期信号として出力するスイッチとを含む、請求項２記載のスレーブ通信装置。
【請求項４】
前記デューティ比Ｄは、０．５よりも大きく、
請求項１記載のマスター通信装置が、前記生成した同期信号のパルスの立上りのタイミングを用いるときに、
前記判定部は、前記第１の差が前記第２の差よりも大きいときには、前記第１のシングルエンド信号を選択し、前記第１の差が前記第２の差よりも小さいときには、前記第２のシングルエンド信号を選択する、請求項３記載のスレーブ通信装置。
【請求項５】
前記デューティ比Ｄは、０．５よりも大きく、
請求項１記載のマスター通信装置が、前記生成した同期信号のパルスの立下がりのタイミングを用いるときに、
前記判定部は、前記第１の差が前記第２の差よりも小さいときには、前記第１のシングルエンド信号を選択し、前記第１の差が前記第２の差よりも大きいときには、前記第２のシングルエンド信号を選択する、請求項３記載のスレーブ通信装置。
【請求項６】
前記デューティ比Ｄは、０．５よりも小さく、
請求項１記載のマスター通信装置が、前記生成した同期信号のパルスの立上りのタイミングを用いるときに、
前記判定部は、前記第１の差が前記第２の差よりも小さいときには、前記第１のシングルエンド信号を選択し、前記第１の差が前記第２の差よりも大きいときには、前記第２のシングルエンド信号を選択する、請求項３記載のスレーブ通信装置。
【請求項７】
前記デューティ比Ｄは、０．５よりも小さく、
請求項１記載のマスター通信装置が、前記生成した同期信号のパルスの立下がりのタイミングを用いるときに、
前記判定部は、前記第１の差が前記第２の差よりも大きいときには、前記第１のシングルエンド信号を選択し、前記第１の差が前記第２の差よりも小さいときには、前記第２のシングルエンド信号を選択する、請求項３記載のスレーブ通信装置。
【請求項８】
前記イーサーネットケーブルは、１００ＢＡＳＥ−Ｔクロスケーブル、または１００ＢＡＳＥ−ＴＸクロスケーブルである、請求項２〜７のいずれか１項に記載のスレーブ通信装置。
【請求項９】
マスター通信装置とスレーブ通信装置とからなる通信システムであって、
マスター通信装置は、
デューティ比Ｄ（０＜Ｄ＜１、Ｄ≠０．５）を有する同期信号を生成する同期信号生成回路と、
前記同期信号を差動信号に変換する第１の変換回路と、
前記差動信号を受ける第１のパルストランスと、
前記第１のパルストランスから出力される差動信号をイーサーネットケーブルを通じてスレーブ通信装置に送信する第１のインタフェース回路とを備え、
前記マスター通信装置から前記イーサーネットケーブルを通じて差動信号を受信する第２のインタフェース回路と、
前記第２のインタフェース回路から出力される差動信号を受ける第２のパルストランスと、
前記第２のパルストランスから出力される差動信号を第１のシングルエンド信号に変換する第２の変換回路と、
前記第２のパルストランスから出力される差動信号を反転する反転回路と、
前記反転回路から出力される差動信号を第２のシングルエンド信号に変換する第３の変換回路と、
前記第１のシングルエンド信号および前記第２のシングルエンド信号のタイミングに基づいて、前記第１のシングルエンド信号および前記第２のシングルエンド信号のいずれかを選択して同期信号として出力する選択回路とを備える、通信システム。
【請求項１０】
マスター通信装置とスレーブ通信装置との通信方法であって、
マスター通信装置が、デューティ比Ｄ（０＜Ｄ＜１、Ｄ≠０．５）を有する同期信号を生成するステップと、
マスター通信装置が、前記同期信号を差動信号に変換するステップと、
マスター通信装置のパルストランスが前記差動信号を受けるステップと、
マスター通信装置が、前記パルストランスから出力される差動信号をイーサーネットケーブルを通じてスレーブ通信装置に送信するステップと、
スレーブ通信装置が、マスター通信装置から前記イーサーネットケーブルを通じて差動信号を受信するステップと、
スレーブ通信装置のパルストランスが、前記受信した差動信号を受けるステップと、
スレーブ通信装置が、前記パルストランスから出力される差動信号を第１のシングルエンド信号に変換するステップと、
スレーブ通信装置が、前記パルストランスから出力される差動信号を反転するステップと、
スレーブ通信装置が、前記反転された差動信号を第２のシングルエンド信号に変換するステップと、
スレーブ通信装置が、前記第１のシングルエンド信号および前記第２のシングルエンド信号のタイミングに基づいて、前記第１のシングルエンド信号および前記第２のシングルエンド信号のいずれかを選択して同期信号として出力するステップとを備える、通信方法。
【発明の詳細な説明】
【技術分野】
【０００１】
本発明は、マスター通信装置、スレーブ通信装置、通信システムおよび通信方法に関し、特に、通信ケーブルを用いて同期信号を伝送する技術に関する。
【背景技術】
【０００２】
ＷｉＭＡＸ（登録商標）スーパーピコセル基地局システムのような通信システムでは、複数の基地局間で同期をとるために、マスター基地局から、スレーブ基地局に同期信号が伝送される。この同期信号の伝送には、イーサーネットケーブルを用いることが考えられる。
【０００３】
一般に、イーサーネット（登録商標）ケーブルは、８芯のうち第１、第２、第３、第６芯を用いて、データ通信が行われている。残りの第４、第５、第７、第８芯については、全く使用しなかったり、特許文献１に記載されているように電力伝送用に使用したり、あるいはデータ伝送用に使用したりされている。
【０００４】
図９は、イーサーネットケーブルの第４、第５、第７、第８芯を使用しない例を説明するための図である。
【０００５】
図９に示すように、第１、第２、第３、第６芯を用いてデータが伝送される。第４、第５、第７、第８芯については、ノイズ源とならないように、抵抗Ｒ１、Ｒ２、Ｒ３、Ｒ４を介してグランドに接地されている。
【０００６】
図１０は、イーサーネットケーブルの第４、第５、第７、第８芯を電力伝送用に使用する例を説明するための図である。
【０００７】
図１０を参照して、電源回路９６によって、第４、第５、第７、第８ピンに４８Ｖの電圧を印加して、これらに接続される伝送線を通じてターゲット側を給電する。この方式とは異なり、第１、第２、第３、第６ピンに４８Ｖの電圧を印加して、これらに接続される伝送線を通じてターゲット側を給電する方式もある。
【０００８】
図１１は、イーサーネットケーブルの第４、第５、第７、第８芯をデータ伝送用に使用する例を説明するための図である。
【０００９】
図１１を参照して、第４、第５、第７、第８ピンも、第１、第２、第３、第６ピンと同様に、これらに接続される伝送線を通じて、データを通信する。これによって、伝送レートが増加する。
【００１０】
ところで、イーサーネットケーブルには１００ＢＡＳＥ−Ｔ規格と、１００ＢＡＳＥ−ＴＸ規格の２つのケーブルがある。
【００１１】
図１２（ａ）は、１００ＢＡＳＥ−Ｔ規格のクロスケーブルの結線を表わす図である。
図１２（ａ）に示すように、このクロスケーブルでは、イーサーネットインタフェース回路９８の第１ピン（第１の正論理用ピンＤ１＿ｐ）が、イーサーネットケーブルの第１芯を通じて、イーサーネットインタフェース回路９５の第３ピン（第２の正論理用ピンＤ２＿ｐ）と接続する。イーサーネットインタフェース回路９８の第２ピン（第１の負論理用ピンＤ１＿ｐ）が、イーサーネットケーブルの第２芯を通じて、イーサーネットインタフェース回路９５の第６ピン（第２の負データ用ピンＤ２＿ｎ）と接続する。
【００１２】
イーサーネットインタフェース回路９８の第３ピン（第２の正論理用ピンＤ２＿ｐ）が、イーサーネットケーブルの第３芯を通じて、イーサーネットインタフェース回路９５の第１ピン（第１の正論理用ピンＤ１＿ｐ）と接続する。イーサーネットインタフェース回路９８の第４ピン（第３の正論理用ピンＤ３＿ｐ）が、イーサーネットケーブルの第４芯を通じて、イーサーネットインタフェース回路９５の第７ピン（第４の正データ用ピンＤ４＿ｐ）と接続する。
【００１３】
イーサーネットインタフェース回路９８の第５ピン（第３の負論理用ピンＤ３＿ｎ）が、イーサーネットケーブルの第５芯を通じて、イーサーネットインタフェース回路９５の第８ピン（第４の正論理用ピンＤ４＿ｎ）と接続する。イーサーネットインタフェース回路９８の第６ピン（第２の負論理用ピンＤ２＿ｎ）が、イーサーネットケーブルの第６芯を通じて、イーサーネットインタフェース回路９５の第２ピン（第１の負データ用ピンＤ１＿ｎ）と接続する。
【００１４】
イーサーネットインタフェース回路９８の第７ピン（第４の正論理用ピンＤ４＿ｐ）が、イーサーネットケーブルの第７芯を通じて、イーサーネットインタフェース回路９５の第４ピン（第３の正論理用ピンＤ３＿ｎ）と接続する。イーサーネットインタフェース回路９８の第８ピン（第４の負論理用ピンＤ４＿ｎ）が、イーサーネットケーブルの第８芯を通じて、イーサーネットインタフェース回路９５の第５ピン（第３の負データ用ピンＤ３＿ｎ）と接続する。
【００１５】
図１２（ｂ）は、１００ＢＡＳＥ−ＴＸ規格のクロスケーブルの結線を表わす図である。
【００１６】
このクロスケーブルの第１〜第４芯については、図１２（ａ）の結線と同様である。図１２（ｂ）の結線が、図１２（ａ）の結線と相違する点は以下である。
【００１７】
イーサーネットインタフェース回路９８の第４ピン（第３の正論理用ピンＤ３＿ｐ）が、イーサーネットケーブルの第４芯を通じて、イーサーネットインタフェース回路９５の第８ピン（第４の正論理用ピンＤ４＿ｎ）と接続する。
【００１８】
イーサーネットインタフェース回路９８の第５ピン（第３の負論理用ピンＤ３＿ｎ）が、イーサーネットケーブルの第５芯を通じて、イーサーネットインタフェース回路９５の第７ピン（第４の正データ用ピンＤ４＿ｐ）と接続する。
【００１９】
イーサーネットインタフェース回路９８の第７ピン（第４の正論理用ピンＤ４＿ｐ）が、イーサーネットケーブルの第７芯を通じて、イーサーネットインタフェース回路９５の第５ピン（第３の負データ用ピンＤ３＿ｎ）と接続する。イーサーネットインタフェース回路９８の第８ピン（第４の負論理用ピンＤ４＿ｎ）が、イーサーネットケーブルの第８芯を通じて、イーサーネットインタフェース回路９５の第４ピン（第３の正論理用ピンＤ３＿ｎ）と接続する。
【００２０】
また、雷サージの対策として、マスター基地局とスレーブ基地局において、信号の伝送経路上にパルストランスを設けることが通常行なわれている。
【先行技術文献】
【特許文献】
【００２１】
【特許文献１】特開２００７−１４８７８１号公報
【発明の概要】
【発明が解決しようとする課題】
【００２２】
上述のように、イーサーネットケーブルには２つの規格が存在するが、一方の規格にのみ適合するのでは、不便である。いずれの規格のケーブルを用いても、同期信号の論理が反転せずに伝送できることが望ましい。
【００２３】
さらに、雷サージの対策として、パルストランスを設けた場合に、同期信号が正確に伝送できないという問題がある。たとえば、１ＰＰＳ（Pulse Per Second)、５ｍｓのパルス幅でタイミングを調整しようとすると、同期信号が正確に伝送できない。
【００２４】
それゆえに、本発明の目的は、雷サージの対策としてパルストランスを備え、１００ＢＡＳＥ−Ｔと１００ＢＡＳＥ−ＴＸの２つの規格のいずれの伝送ケーブルでの接続が可能であり、かつ正確に同期信号を伝送することができるマスター通信装置、スレーブ通信装置、通信システムおよび通信方法を提供することである。
【課題を解決するための手段】
【００２５】
上記課題を解決するために、本発明のマスター通信装置は、デューティ比Ｄ（０＜Ｄ＜１、Ｄ≠０．５）を有する同期信号を生成する同期信号生成回路と、同期信号を差動信号に変換する第１の変換回路と、差動信号を受ける第１のパルストランスと、第１のパルストランスから出力される差動信号をイーサーネットケーブルを通じてスレーブ通信装置に送信する第１のインタフェース回路とを備える。
【００２６】
本発明のスレーブ通信装置は、マスター通信装置からイーサーネットケーブルを通じて差動信号を受信する第２のインタフェース回路と、第２のインタフェース回路から出力される差動信号を受ける第２のパルストランスと、第２のパルストランスから出力される差動信号を第１のシングルエンド信号に変換する第２の変換回路と、第２のパルストランスから出力される差動信号を反転する反転回路と、反転回路から出力される差動信号を第２のシングルエンド信号に変換する第３の変換回路と、第１のシングルエンド信号および第２のシングルエンド信号のタイミングに基づいて、第１のシングルエンド信号および第２のシングルエンド信号のいずれかを選択して同期信号として出力する選択回路とを備える。
【００２７】
好ましくは、選択回路は、第２の変換回路から出力される第１のシングルエンド信号のエッジを検出する第１の検出部と、第３の変換回路から出力される第２のシングルエンド信号のエッジを検出する第２の検出部と、第１のシングルエンド信号のエッジのタイミングと１つ前の第２のシングルエンド信号のエッジのタイミングとの第１の差を算出する第１の減算部と、第２のシングルエンド信号のエッジのタイミングと１つ前の第１のシングルエンド信号のエッジのタイミングとの第２の差を算出する第２の減算部と、第１の差と第２の差に基づいて、第１のシングルエンド信号と第２のシングルエンド信号のいずれを選択するかを判定する判定部と、選択された信号を同期信号として出力するスイッチとを含む。
【００２８】
好ましくは、デューティ比Ｄは、０．５よりも大きく、マスター通信装置が、生成した同期信号のパルスの立上りのタイミングを用いるときに、判定部は、第１の差が第２の差よりも大きいときには、第１のシングルエンド信号を選択し、第１の差が第２の差よりも小さいときには、第２のシングルエンド信号を選択する。
【００２９】
好ましくは、デューティ比Ｄは、０．５よりも大きく、マスター通信装置が、生成した同期信号のパルスの立下がりのタイミングを用いるときに、判定部は、第１の差が第２の差よりも小さいときには、第１のシングルエンド信号を選択し、第１の差が第２の差よりも大きいときには、第２のシングルエンド信号を選択する。
【００３０】
好ましくは、デューティ比Ｄは、０．５よりも小さく、マスター通信装置が、生成した同期信号のパルスの立上りのタイミングを用いるときに、判定部は、第１の差が第２の差よりも小さいときには、第１のシングルエンド信号を選択し、第１の差が第２の差よりも大きいときには、第２のシングルエンド信号を選択する。
【００３１】
好ましくは、デューティ比Ｄは、０．５よりも小さく、マスター通信装置が、生成した同期信号のパルスの立下がりのタイミングを用いるときに、判定部は、第１の差が第２の差よりも大きいときには、第１のシングルエンド信号を選択し、第１の差が第２の差よりも小さいときには、第２のシングルエンド信号を選択する。
【００３２】
好ましくは、イーサーネットケーブルは、１００ＢＡＳＥ−Ｔクロスケーブル、または１００ＢＡＳＥ−ＴＸクロスケーブルである。
【００３３】
本発明は、マスター通信装置とスレーブ通信装置とからなる通信システムであって、マスター通信装置は、デューティ比Ｄ（０＜Ｄ＜１、Ｄ≠０．５）を有する同期信号を生成する同期信号生成回路と、同期信号を差動信号に変換する第１の変換回路と、差動信号を受ける第１のパルストランスと、第１のパルストランスから出力される差動信号をイーサーネットケーブルを通じてスレーブ通信装置に送信する第１のインタフェース回路とを備え、マスター通信装置からイーサーネットケーブルを通じて差動信号を受信する第２のインタフェース回路と、第２のインタフェース回路から出力される差動信号を受ける第２のパルストランスと、第２のパルストランスから出力される差動信号を第１のシングルエンド信号に変換する第２の変換回路と、第２のパルストランスから出力される差動信号を反転する反転回路と、反転回路から出力される差動信号を第２のシングルエンド信号に変換する第３の変換回路と、第１のシングルエンド信号および第２のシングルエンド信号のタイミングに基づいて、第１のシングルエンド信号および第２のシングルエンド信号のいずれかを選択して同期信号として出力する選択回路とを備える。
【００３４】
本発明は、マスター通信装置とスレーブ通信装置との通信方法であって、マスター通信装置が、デューティ比Ｄ（０＜Ｄ＜１、Ｄ≠０．５）を有する同期信号を生成するステップと、マスター通信装置が、同期信号を差動信号に変換するステップと、マスター通信装置のパルストランスが差動信号を受けるステップと、マスター通信装置が、パルストランスから出力される差動信号をイーサーネットケーブルを通じてスレーブ通信装置に送信するステップと、スレーブ通信装置が、マスター通信装置からイーサーネットケーブルを通じて差動信号を受信するステップと、スレーブ通信装置のパルストランスが、受信した差動信号を受けるステップと、スレーブ通信装置が、パルストランスから出力される差動信号を第１のシングルエンド信号に変換するステップと、スレーブ通信装置が、パルストランスから出力される差動信号を反転するステップと、スレーブ通信装置が、反転された差動信号を第２のシングルエンド信号に変換するステップと、スレーブ通信装置が、第１のシングルエンド信号および第２のシングルエンド信号のタイミングに基づいて、第１のシングルエンド信号および第２のシングルエンド信号のいずれかを選択して同期信号として出力するステップとを備える。
【発明の効果】
【００３５】
本発明によれば、雷サージの対策が可能であり、１００ＢＡＳＥ−Ｔと１００ＢＡＳＥ−ＴＸの２つの規格のいずれの伝送ケーブルでの接続が可能であり、かつ正確に同期信号を伝送することができる。
【図面の簡単な説明】
【００３６】
【図１】本発明の実施形態の無線基地局システムの構成を表わす図である。
【図２】本発明の実施形態における、１００ＢＡＳＥ−Ｔ規格のイーサーネットケーブルで接続されたマスター基地局、およびスレーブ基地局の構成を表わす図である。
【図３】本発明の実施形態における、１００ＢＡＳＥ−ＴＸ規格のイーサーネットケーブルで接続されたマスター基地局、およびスレーブ基地局の構成を表わす図である。
【図４】選択回路の構成を表わす図である。
【図５】本発明の実施形態のマスター基地局とスレーブ基地局の同期手順を表わすフローチャートである。
【図６】図５のステップＳ１１０の選択処理の手順を表わすフローチャートである。
【図７】マスター基地局とスレーブ基地局が１００ＢＡＳＥ−Ｔのクロスケーブルで接続されている場合の信号波形を表わす図である。
【図８】マスター基地局とスレーブ基地局が１００ＢＡＳＥ−ＴＸのクロスケーブルで接続されている場合の信号波形を表わす図である。
【図９】イーサーネットケーブルの第４、第５、第７、第８芯を使用しない例を説明するための図である。
【図１０】イーサーネットケーブルの第４、第５、第７、第８芯を電力伝送用に使用する例を説明するための図である。
【図１１】イーサーネットケーブルの第４、第５、第７、第８芯をデータ伝送用に使用する例を説明するための図である。
【図１２】（ａ）は、１００ＢＡＳＥ−Ｔ規格のクロスケーブルの結線を表わす図である。（ｂ）は、１００ＢＡＳＥ−ＴＸ規格のクロスケーブルの結線を表わす図である。
【発明を実施するための形態】
【００３７】
以下、本発明の実施形態について図面を参照して説明する。
（無線通信システムの構成）
図１は、本発明の実施形態の無線基地局システムの構成を表わす図である。
【００３８】
図１を参照して、この無線基地局システム１は、複数の無線基地局２＿Ａ〜２＿Ｚ，３がイーサーネットケーブル４＿Ａ〜４＿Ｚを通じて接続される。イーサーネットケーブル４＿Ａ〜４＿Ｚを通じて、マスター基地局３が同期をとるための同期信号をスレーブ基地局２＿Ａ〜２＿Ｚへ伝送される。
【００３９】
マスター基地局３は、ＧＰＳ衛星からＧＰＳ信号を受信し、ＧＰＳ信号に基づいて同期信号を生成してスレーブ基地局２Ａ＿２＿Ｚに伝送する。スレーブ基地局２＿Ａ〜２＿Ｚは、マスター基地局３から送られる同期信号を受信して、受信した同期信号のタイミングにしたがって、無線端末への信号を送信する。マスター基地局３およびスレーブ基地局２＿Ａ〜２＿Ｚは、同期信号のタイミングに従って、無線端末への信号の送受信処理を行なう。
【００４０】
（１００ＢＡＳＥ−Ｔ規格ケーブルで接続した構成）
図２は、本発明の実施形態における、１００ＢＡＳＥ−Ｔ規格のイーサーネットケーブルで接続されたマスター基地局３、およびスレーブ基地局２の構成を表わす図である。
【００４１】
図２を参照して、マスター基地局３と、スレーブ基地局２は、１００ＢＡＳＥ−Ｔ規格のイーサーネットケーブル４で接続される。
【００４２】
イーサーネットケーブル４の第１芯は、マスター基地局３のイーサーネットインタフェース回路２６の第１外部端子（Ｄ１＿ｐ）と、スレーブ基地局２のイーサーネットインタフェース回路２８の第３外部端子（Ｄ２＿ｐ）と接続する。イーサーネットケーブルの第２芯は、マスター基地局３のイーサーネットインタフェース回路の第２外部端子（Ｄ１＿ｎ）と、スレーブ基地局２のイーサーネットインタフェース回路２８の第６外部端子（Ｄ２＿ｎ）と接続する。イーサーネットケーブルの第３芯は、マスター基地局３のイーサーネットインタフェース回路２６の第３外部端子（Ｄ２＿ｐ）と、スレーブ基地局２のイーサーネットインタフェース回路２８の第１外部端子（Ｄ１＿ｐ）と接続する。イーサーネットケーブルの第４芯は、マスター基地局３のイーサーネットインタフェース回路２６の第４外部端子（Ｄ３＿ｐ）と、スレーブ基地局２のイーサーネットインタフェース回路２８の第７外部端子（Ｄ４＿ｐ）と接続する。イーサーネットケーブルの第５芯は、マスター基地局３のイーサーネットインタフェース回路２６の第５外部端子（Ｄ３＿ｎ）と、スレーブ基地局２のイーサーネットインタフェース回路２８の第８外部端子（Ｄ４＿ｎ）と接続する。イーサーネットケーブルの第６芯は、マスター基地局３のイーサーネットインタフェース回路２６の第６外部端子（Ｄ２＿ｎ）と、スレーブ基地局２のイーサーネットインタフェース回路２８の第２外部端子（Ｄ１＿ｎ）と接続する。イーサーネットケーブルの第７芯は、マスター基地局３のイーサーネットインタフェース回路２６の第７外部端子（Ｄ４＿ｐ）と、スレーブ基地局２のイーサーネットインタフェース回路２８の第４外部端子（Ｄ３＿ｐ）と接続する。イーサーネットケーブルの第８芯は、マスター基地局３のイーサーネットインタフェース回路２６の第８外部端子（Ｄ４＿ｎ）と、スレーブ基地局２のイーサーネットインタフェース回路２８の第５外部端子（Ｄ３＿ｎ）と接続する。
【００４３】
マスター基地局３は、同期信号生成部１６と、データ通信部１８と、送受信部２０と、アンテナ１２，１４と、ＧＰＳアンテナ１０と、ＲＳ４２２ドライバ２２と、パルストランス回路２４と、イーサーネットインタフェース回路２６とからなる。
【００４４】
同期信号生成部１６は、ＧＰＳアンテナ１０から受信したＧＰＳ信号に基づいて、一定の周期のパルスを含む同期信号を生成する。この同期信号のデューティ比Ｄ（＝τ／Ｔ）は、０＜Ｄ＜１、かつＤ≠０．５である。ただし、τはパルス幅であり、Ｔは同期信号の周期である。
【００４５】
データ通信部１８は、スレーブ基地局２へ制御用のデータを送信し、スレーブ基地局２から制御用のデータを受信する。
【００４６】
送受信部２０は、アンテナ１２，１４を通じて無線端末へ無線信号を送信し、アンテナ１２，１４を通じて無線端末から無線信号を受信する。送受信部２０は、生成した同期信号のパルスの立上りのタイミングに従って、無線信号を送信および受信する。
【００４７】
ＲＳ４２２ドライバ２２は、同期信号生成部１６から出力されるシングルエンドの同期信号を正論理および負論理の差動信号に変換する。ＲＳ４２２規格は、差動インタフェースの規格である。ＲＳ４２２ドライバ２２として、たとえば、Intersil CorporationのＩＳＬ３１７０Ｅを用いることができる。
【００４８】
パルストランス回路２４の第１〜第３内部端子ＩＮ１〜ＩＮ３、第６内部端子ＩＮ６は、データ通信部１８と接続する。パルストランス回路２４の第４、第５内部端子ＩＮ４，ＩＮ５は、ＲＳ４２２ドライバ２２と接続する。パルストランス回路２４の第１〜第８外部端子ＯＵＴ１〜ＯＵＴ８は、それぞれイーサーネットインタフェース回路２６の第１〜第８内部端子と接続する。
【００４９】
パルストランス回路２４は、第１内部端子ＩＮ１と第２内部端子ＩＮ２と第１外部端子ＯＵＴ１と第２外部端子ＯＵＴ２との間に第１のパルストランスが形成され、第３内部端子ＩＮ３と第６内部端子ＩＮ６と第３外部端子ＯＵＴ３と第６外部端子ＯＵＴ６との間に第２のパルストランスが形成され、第４内部端子ＩＮ４と第５内部端子ＩＮ５と第４外部端子ＯＵＴ４と第５外部端子ＯＵＴ５との間に第３のパルストランスが形成され、第７内部端子ＩＮ７と第８内部端子ＩＮ８と第７外部端子ＯＵＴ７と第８外部端子ＯＵＴ８との間に第４のパルストランスが形成される。これらのパルストランスは、入力された信号のＤＣ成分を除去する。パルストランス回路２５として、たとえば、Pulse Engineering, IncのＨＸ２３０５ＮＬを用いることができる。
【００５０】
イーサーネットインタフェース回路２６は、１００ＢＡＳＥ−Ｔ規格のクロスケーブルの第４芯および第５芯を通じて、パルストランス回路２４から出力される差動信号をスレーブ基地局２へ送信する。また、イーサーネットインタフェース回路２６は、１００ＢＡＳＥ−Ｔ規格のクロスケーブルの第１芯、第２芯、第３芯および第６芯を通じて、制御用データをスレーブ基地局２へ送信するとともに、制御用データをスレーブ基地局２から受信する。
【００５１】
スレーブ基地局２は、イーサーネットインタフェース回路２８と、パルストランス回路２０と、データ通信部３２と、反転回路３４と、ＲＳ４２２ドライバ３６と、ＲＳ４２２ドライバ３８と、選択回路４０と、送受信部４４と、アンテナ４６，４８とからなる。
【００５２】
イーサーネットインタフェース回路２８は、１００ＢＡＳＥ−Ｔ規格のクロスケーブルの第４芯および第５芯を通じて、マスター基地局３から差動信号を受信する。また、イーサーネットインタフェース回路２８は、１００ＢＡＳＥ−Ｔ規格のクロスケーブルの第１芯、第２芯、第３芯および第６芯を通じて、制御用データをマスター基地局３へ送信するとともに、制御用データをマスター基地局３から受信する。
【００５３】
パルストランス回路２０の第１〜第３内部端子ＩＮ１〜ＩＮ３、第６内部端子ＩＮ６は、データ通信部３２と接続する。パルストランス回路２０の第４、第５内部端子ＩＮ４，ＩＮ５は、反転回路３４およびＲＳ４２２ドライバ３６と接続する。パルストランス回路２０の第１〜第８外部端子ＯＵＴ１〜ＯＵＴ８は、それぞれイーサーネットインタフェース回路２８の第１〜第８内部端子と接続する。
【００５４】
パルストランス回路２０は、第１内部端子ＩＮ１と第２内部端子ＩＮ２と第１外部端子ＯＵＴ１と第２外部端子ＯＵＴ２との間に第１のパルストランスが形成され、第３内部端子ＩＮ３と第６内部端子ＩＮ６と第３外部端子ＯＵＴ３と第６外部端子ＯＵＴ６との間に第２のパルストランスが形成され、第４内部端子ＩＮ４と第５内部端子ＩＮ５と第４外部端子ＯＵＴ４と第５外部端子ＯＵＴ５との間に第３のパルストランスが形成され、第７内部端子ＩＮ７と第８内部端子ＩＮ８と第７外部端子ＯＵＴ７と第８外部端子ＯＵＴ８との間に第４のパルストランスが形成される。これらのパルストランスは、入力された信号のＤＣ成分を除去する。
【００５５】
データ通信部３２は、マスター基地局３へ制御用のデータを送信し、マスター基地局３から制御用のデータを受信する。
【００５６】
ＲＳ４２２ドライバ３６は、パルストランス回路２０から出力される差動信号を第１のシングルエンド信号ＳＰに変換する。
【００５７】
反転回路３４は、パルストランス回路２０から出力される差動信号の正負を反転する。
ＲＳ４２２ドライバ３８は、反転回路３４から出力される差動信号を第２のシングルエンド信号ＳＮに変換する。
【００５８】
選択回路４０は、第１のシングルエンド信号ＳＰと第２のシングルエンド信号のいずれかを選択して、同期信号と送受信部４４に出力する。
【００５９】
送受信部４４は、アンテナ４６，４８を通じて無線端末へ無線信号を送信し、アンテナ４６，４８を通じて無線端末から無線信号を受信する。送受信部４４は、選択回路４０から出力される同期信号のパルスの立上りのタイミングに従って、無線信号を送信および受信する。
【００６０】
（１００ＢＡＳＥ−ＴＸ規格ケーブルで接続した構成）
図３は、本発明の実施形態における、１００ＢＡＳＥ−ＴＸ規格のイーサーネットケーブルで接続されたマスター基地局、およびスレーブ基地局の構成を表わす図である。
【００６１】
図３を参照して、このシステムでは、マスター基地局３とスレーブ基地局２とは、１００ＢＡＳＥ−ＴＸ規格のイーサーネットケーブルで接続される。
【００６２】
イーサーネットケーブルの第１芯は、マスター基地局３のイーサーネットインタフェース回路２６の第１外部端子（Ｄ１＿ｐ）と、スレーブ基地局２のイーサーネットインタフェース回路２８の第３外部端子（Ｄ２＿ｐ）と接続する。イーサーネットケーブルの第２芯は、マスター基地局３のイーサーネットインタフェース回路２６の第２外部端子（Ｄ１＿ｎ）と、スレーブ基地局２のイーサーネットインタフェース回路２８の第６外部端子（Ｄ２＿ｎ）と接続する。イーサーネットケーブルの第３芯は、マスター基地局３のイーサーネットインタフェース回路２６の第３外部端子（Ｄ２＿ｐ）と、スレーブ基地局２のイーサーネットインタフェース回路２８の第１外部端子（Ｄ１＿ｐ）と接続する。イーサーネットケーブルの第４芯は、マスター基地局３のイーサーネットインタフェース回路２６の第４外部端子（Ｄ３＿ｐ）と、スレーブ基地局２のイーサーネットインタフェース回路２８の第８外部端子（Ｄ４＿ｎ）と接続する。イーサーネットケーブルの第５芯は、マスター基地局３のイーサーネットインタフェース回路２６の第５外部端子（Ｄ３＿ｎ）と、スレーブ基地局２のイーサーネットインタフェース回路２８の第７外部端子（Ｄ４＿ｐ）と接続する。イーサーネットケーブルの第６芯は、マスター基地局３のイーサーネットインタフェース回路２６の第６外部端子（Ｄ２＿ｎ）と、スレーブ基地局２のイーサーネットインタフェース回路２８の第２外部端子（Ｄ１＿ｎ）と接続する。イーサーネットケーブルの第７芯は、マスター基地局３のイーサーネットインタフェース回路２６の第７外部端子（Ｄ４＿ｐ）と、スレーブ基地局２のイーサーネットインタフェース回路２８の第５外部端子（Ｄ３＿ｎ）と接続する。イーサーネットケーブルの第８芯は、マスター基地局３のイーサーネットインタフェース回路２６の第８外部端子（Ｄ４＿ｎ）と、スレーブ基地局２のイーサーネットインタフェース回路２８の第４外部端子（Ｄ３＿ｐ）と接続する。
【００６３】
マスター基地局３およびスレーブ基地局２は、図２と同様の構成要素を備える。
（選択回路の構成）
図４は、選択回路の構成を表わす図である。
【００６４】
図４を参照して、選択回路４０は、カウンタ５０と、第１エッジ検出部５１と、第２エッジ検出部５３と、Ｐカウント値保持部５２と、Ｎカウント値保持部５４と、第１減算部５５と、第２減算部５６と、判定部５７と、スイッチ５８とを備える。
【００６５】
第１エッジ検出部５１は、第１のシングルエンド信号ＳＰのエッジを検出する。
第２エッジ検出部５３は、第２のシングルエンド信号ＳＮのエッジを検出する。
【００６６】
Ｐカウント値保持部５２は、最新の第１のシングルエンド信号のエッジが検出されたときのカウンタ５０の値をＰカウント値として保持する。
【００６７】
Ｎカウント値保持部５４は、最新の第２のシングルエンド信号のエッジが検出されたときのカウンタ５０の値をＮカウント値として保持する。
【００６８】
第１減算部５５は、Ｐカウント値からＮカウント値を減算した第１の差ＤＰＮを算出する。
【００６９】
第２減算部５６は、Ｎカウント値からＰカウント値を減算した第２の差ＤＮＰを算出する。
【００７０】
判定部５７は、第１の差ＤＰＮが第２の差ＤＮＰよりも大きい場合には、第１のシングルエンド信号ＳＰを選択し、第１の差ＤＰＮが第２の差ＤＮＰよりも小さい場合には、第２のシングルエンド信号ＳＮを選択する。デューティ比Ｄが０．５ではないので、第１の差ＤＰＮ５と第２の差ＤＮＰが等しくなることはない。
【００７１】
スイッチ５８は、判定部５７で選択された信号を同期信号として送受信部へ出力する。
（同期動作）
図５は、本発明の実施形態のマスター基地局とスレーブ基地局の同期手順を表わすフローチャートである。
【００７２】
図５を参照して、マスター基地局３の同期信号生成部１６は、ＧＰＳ受信機から得られるＧＳＰ信号に基づいて、同期信号を生成する（ステップＳ１０１）。
【００７３】
次に、マスター基地局３のＲＳ４２２ドライバ２２は、生成された同期信号をＲＳ４２２規格に基いて、差動信号に変換して、パルストランス回路２４の第４内部端子ＩＮ４および第５内部端子ＩＮ５に出力する（ステップＳ１０２）。同時に、マスター基地局３の送受信部２０は、同期信号生成部１６から出力された同期信号のパルスの立上りのタイミングにしたがって、無線端末への信号をアンテナを通じて無線送信する（ステップＳ１０３）。
【００７４】
次に、マスター基地局３のパルストランス回路２４は、第４内部端子ＩＮ４および第５内部端子ＩＮ５に入力された差動信号のＤＣ成分を除去して、第４外部端子ＯＵＴ４および第５外部端子ＯＵＴ５から出力する（ステップＳ１０４）。
【００７５】
次に、マスター基地局３のイーサーネットインタフェース回路２６は、１００ＢＡＳＥ−Ｔ規格のクロスケーブルの第４芯および第５芯を通じて、パルストランス回路２４から出力される差動信号をスレーブ基地局２へ送信する（ステップＳ１０５）。
【００７６】
次に、スレーブ基地局２のイーサーネットインタフェース回路２８は、１００ＢＡＳＥ−Ｔ規格のクロスケーブルの第４芯および第５芯を通じて、差動信号を受信する（ステップＳ１０６）。
【００７７】
次に、スレーブ基地局３のパルストランス回路２０は、第４外部端子ＯＵＴ４および第５外部端子ＯＵＴ５に入力された差動信号のＤＣ成分を除去して、第４内部端子ＩＮ４および第５内部端子ＩＮ５から出力する（ステップＳ１０７）。
【００７８】
次に、スレーブ基地局２の反転回路３４は、パルストランス回路２０から出力される差動信号の各信号を反転する（ステップＳ１０８）。
【００７９】
次に、スレーブ基地局２のＲＳ４２２ドライバ３６は、パルストランス回路２０から出力される差動信号をＲＳ４２２規格に基づいて、第１のシングルエンド信号ＳＰに変換する。同様に、スレーブ基地局２のＲＳ４２２ドライバ３８は、反転回路３４から出力される差動信号をＲＳ４２２規格に基づいて、第２のシングルエンド信号ＳＮに変換する（ステップＳ１０９）。
【００８０】
次に、スレーブ基地局２の選択回路４０は、第１のシングルエンド信号ＳＰと第２のシングルエンド信号ＳＮのいずれかを選択して、出力する。差動信号Ｓ４＿４，Ｓ４＿５は、マスター基地局３の差動信号Ｓ３＿４，Ｓ３＿５と論理が反転している。なぜなら、１００ＢＡＳＥ−Ｔのクロスケーブルは、マスター基地局３のイーサーネットインタフェース回路２６の第４外部端子（正論理）とスレーブ基地局２のイーサーネットインタフェース回路２８の第８外部端子（負論理）とを接続し、マスター基地局３のイーサーネットインタフェース回路２６（負論理）の第５外部端子とスレーブ基地局２のイーサーネットインタフェース回路２８の第７外部端子（正論理）とが接続するからである。スレーブ基地局２の送受信部は、選択回路４０から出力された信号のタイミングにしたがって、無線端末への信号をアンテナを通じて無線送信する（ステップＳ１１０）。
【００８１】
（選択動作）
図６は、図５のステップＳ１１０の選択処理の手順を表わすフローチャートである。
【００８２】
まず、第１エッジ検出部５１は、第１のシングルエンド信号ＳＰのエッジを検出する（ステップＳ２０１）。同様に、第２エッジ検出部５３は、第２のシングルエンド信号ＳＮのエッジを検出する（ステップＳ２０２）。
【００８３】
次に、Ｐカウント値保持部５２は、第１のシングルエンド信号のエッジが検出されたときのカウンタ５０の値をＰカウント値として保持する（ステップＳ２０３）。Ｎカウント値保持部５４は、第２のシングルエンド信号のエッジが検出されたときのカウンタ５０の値をＮカウント値として保持する（ステップＳ２０４）。
【００８４】
次に、第１減算部５５は、Ｐカウント値からＮカウント値を減算した第１の差ＤＰＮを算出する（ステップＳ２０５）。
【００８５】
次に、第２減算部５６は、Ｎカウント値からＰカウント値を減算した第２の差ＤＮＰを算出する（ステップＳ２０６）。
【００８６】
判定部５７は、第１の差ＤＰＮが第２の差ＤＮＰよりも大きい場合には（ステップＳ２０７でＹＥＳ）、第１のシングルエンド信号ＳＰを選択して、スイッチ５８から第１のシングルエンド信号ＳＰを出力させる（ステップＳ２０８）。
【００８７】
一方、判定部５７は、第１の差ＤＰＮが第２の差ＤＮＰよりも小さい場合には（ステップＳ２０７でＮＯ）、第２のシングルエンド信号ＳＮを選択して、スイッチ５８から第２のシングルエンド信号ＳＮを出力させる（ステップＳ２０９）。
【００８８】
（信号波形：１００ＢＡＳＥ−Ｔのクロスケーブル）
図７は、マスター基地局とスレーブ基地局が１００ＢＡＳＥ−Ｔのクロスケーブルで接続されている場合の信号波形を表わす図である。
【００８９】
図７を参照して、マスター基地局３の同期信号生成部１６から、同期信号Ｓ１が出力される。
【００９０】
マスター基地局３のＲＳ４２２ドライバ２２は、同期信号Ｓ１を差動信号Ｓ２＿Ｐ，Ｓ２＿Ｎに変換する。
【００９１】
マスター基地局３のパルストランス回路２４の第４外部端子ＯＵＴ５および第５外部力端子ＯＵＴ５からは、差動信号Ｓ２＿Ｐ，Ｓ２＿ＮのＤＣ成分が除去された信号Ｓ３＿４，Ｓ３＿５が出力される。この差動信号Ｓ３＿４，Ｓ３＿５が１００ＢＡＳＥ−Ｔのクロスケーブル４を伝送し、スレーブ基地局３のパルストランス回路２０に入力される。
【００９２】
スレーブ基地局３のパルストランス回路２０は、入力された差動信号Ｓ３＿４，Ｓ３＿５のＤＣ成分をさらに除去して、第４内部端子ＩＮ４および第５内部端子ＩＮ５から差動信号Ｓ４＿４，Ｓ４＿５を出力する。差動信号Ｓ４＿４，Ｓ４＿５は、マスター基地局３の差動信号Ｓ３＿４，Ｓ３＿５と同一の論理である。なぜなら、１００ＢＡＳＥ−Ｔのクロスケーブル４は、マスター基地局３のイーサーネットインタフェース回路２６の第４外部端子（正論理）とスレーブ基地局２のイーサーネットインタフェース回路２８の第７外部端子（正論理）とを接続し、マスター基地局３のイーサーネットインタフェース回路２６（負論理）の第５外部端子とスレーブ基地局２のイーサーネットインタフェース回路２８の第８外部端子（負論理）とが接続するからである。
【００９３】
ＲＳ４２２ドライバ３６は、差動信号Ｓ４＿４，Ｓ４＿５を第１のシングルエンド信号ＳＰに変換する。
【００９４】
反転回路３４は、差動信号Ｓ４＿４，Ｓ４＿５のそれぞれを反転した反転差動信号を生成する。ＲＳ４２２ドライバ３８は、反転差動信号を２シングルエンド信号ＳＮに変換する。
【００９５】
第２減算部５６は、第２シングルエンド信号ＳＮのエッジのタイミングから第１シングルエンド信号ＳＰのエッジのタイミングを減算して、第２の差ＤＮＰを算出する。第１減算部５５は、第１シングルエンド信号ＳＰのエッジのタイミングから第２シングルエンド信号ＳＮのエッジのタイミングを減算して、第１の差ＤＰＮを算出する。
【００９６】
判定部５７は、第１の差ＤＰＮが第２の差ＤＮＰよりも大きいので、第１のシングルエンド信号ＳＰを選択して、スイッチ５８から第１のシングルエンド信号ＳＰをスレーブ基地局の同期信号Ｓ′として出力させる。
【００９７】
（信号波形：１００ＢＡＳＥ−ＴＸのクロスケーブル）
図８は、マスター基地局３とスレーブ基地局が１００ＢＡＳＥ−ＴＸのクロスケーブルで接続されている場合の信号波形を表わす図である。
【００９８】
図８を参照して、マスター基地局３の同期信号生成部１６から、同期信号Ｓ１が出力される。
【００９９】
マスター基地局３のＲＳ４２２ドライバ２２は、同期信号Ｓ１を差動信号Ｓ２＿Ｐ，Ｓ２＿Ｎに変換する。
【０１００】
マスター基地局３のパルストランス回路２４の第４外部端子ＯＵＴ４および第５外部端子ＯＵＴ５からは、差動信号Ｓ２＿Ｐ，Ｓ２＿ＮのＤＣ成分が除去された信号Ｓ３＿４，Ｓ３＿５が出力される。この差動信号Ｓ３＿４，Ｓ３＿５が１００ＢＡＳＥ−ＴＸのクロスケーブルを伝送し、スレーブ基地局３のパルストランス回路２０に入力される。
【０１０１】
スレーブ基地局３のパルストランス回路２０は、入力された差動信号Ｓ３＿４，Ｓ３＿５のＤＣ成分をさらに除去して、第４内部端子ＩＮ４および第５内部端子ＩＮ５から差動信号Ｓ４＿４，Ｓ４＿５を出力する。差動信号Ｓ４＿４，Ｓ４＿５は、マスター基地局３の差動信号Ｓ３＿４，Ｓ３＿５と論理が反転している。なぜなら、１００ＢＡＳＥ−ＴＸのクロスケーブル５は、マスター基地局３のイーサーネットインタフェース回路２６の第４外部端子（正論理）とスレーブ基地局２のイーサーネットインタフェース回路２８の第８外部端子（負論理）とを接続し、マスター基地局３のイーサーネットインタフェース回路２６（負論理）の第５外部端子とスレーブ基地局２のイーサーネットインタフェース回路２８の第７外部端子（正論理）とが接続するからである。
【０１０２】
ＲＳ４２２ドライバ３６は、差動信号Ｓ４＿４，Ｓ４＿５を第１のシングルエンド信号ＳＰに変換する。
【０１０３】
反転回路３４は、差動信号Ｓ４＿４，Ｓ４＿５のそれぞれを反転した反転差動信号を生成する。ＲＳ４２２ドライバ３８は、反転差動信号を第２のシングルエンド信号ＳＮに変換する。
【０１０４】
第２減算部５６は、第２シングルエンド信号ＳＮのエッジのタイミングから第１シングルエンド信号ＳＰのエッジのタイミングを減算して、第２の差ＤＮＰを算出する。第１減算部５５は、第１シングルエンド信号ＳＰのエッジのタイミングから第２シングルエンド信号ＳＮのエッジのタイミングを減算して、第１の差ＤＰＮを算出する。
【０１０５】
判定部５７は、第２の差ＤＮＰが第１の差ＤＰＮよりも大きいので、第２のシングルエンド信号ＳＮを選択して、スイッチ５８から第２のシングルエンド信号ＳＮをスレーブ基地局の同期信号Ｓ′として出力させる。
【０１０６】
以上のように、本発明の実施の形態によれば、第１のシングルエンド信号ＳＰのエッジのタイミングと第２のシングルエンド信号ＳＮのエッジのタイミングを用いて、第１のシングルエンド信号ＳＰと第２のシングルエンド信号ＳＮのいずれかをスレーブ基地局の同期信号とする。これによって、１００ＢＡＳＥ−Ｔと１００ＢＡＳＥ−ＴＸの２つの規格のいずれの伝送ケーブルを用いても、かつ雷サージの対策としてパルストランスを設けた場合でも、マスター基地局からスレーブ基地局へ正確に同期信号を伝送することができる。
【０１０７】
（変形例）
本発明は、上記の実施形態に限定されるものではなく、たとえば以下のような変形例も含む。
【０１０８】
（１）  デューティ比Ｄおよび同期信号の利用箇所と第１、第２のシングルエンド信号の選択の関係
本発明の実施形態では、デューティ比Ｄは、０．５よりも大きく、マスター通信装置の送受信部が、生成した同期信号のパルスの立上りのタイミングで無線信号を送受信する場合において、判定部５７は、第１の差ＤＰＮが第２の差ＤＮＰよりも大きいときには、第１のシングルエンド信号ＳＰを選択し、第１の差ＤＰＮが第２の差ＤＮＰよりも小さいときには、第２のシングルエンド信号ＳＮを選択することとしたが、これに限定するものではない。
【０１０９】
デューティ比Ｄは、０．５よりも大きく、マスター通信装置の送受信部が、生成した同期信号のパルスの立下りのタイミングで無線信号を送受信する場合において、判定部５７は、第１の差ＤＰＮが第２の差ＤＮＰよりも小さいときには、第１のシングルエンド信号ＳＰを選択し、第１の差ＤＰＮが第２の差ＤＮＰよりも大きいときには、第２のシングルエンド信号ＳＮを選択する。
【０１１０】
デューティ比Ｄは、０．５よりも小さく、マスター通信装置の送受信部が、生成した同期信号のパルスの立上がりのタイミングで無線信号を送受信する場合において、判定部５７は、第１の差ＤＰＮが第２の差ＤＮＰよりも小さいときには、第１のシングルエンド信号ＳＰを選択し、第１の差ＤＰＮが第２の差ＤＮＰよりも大きいときには、第２のシングルエンド信号ＳＮを選択する。
【０１１１】
デューティ比Ｄは、０．５よりも小さく、マスター通信装置の送受信部が、生成した同期信号のパルスの立下がりのタイミングで無線信号を送受信する場合において、判定部５７は、第１の差ＤＰＮが第２の差ＤＮＰよりも大きいときには、第１のシングルエンド信号ＳＰを選択し、第１の差ＤＰＮが第２の差ＤＮＰよりも小さいときには、第２のシングルエンド信号ＳＮを選択する。
【０１１２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１３】
２，２＿Ａ〜２＿Ｚ  マスター基地局、３  スレーブ基地局、４，４＿Ａ〜４＿Ｚ  １００ＢＡＳＥ−Ｔクロスケーブル、５  １００ＢＡＳＥ−ＴＸクロスケーブル、１０  ＧＰＳアンテナ、１２，１４，４６，４８  アンテナ、１６  同期信号生成部、１８，３２  データ通信部、２０，４４  送受信部、２２，３６，３８  ＲＳ４２２ドライバ、２０，２４  パルストランス回路、２６，２８，９５，９８  イーサーネットインタフェース回路、３４  反転回路、４０  選択回路、５０  カウンタ、５１  第１エッジ検出部、５２  Ｐカウント値保持部、５３  第２エッジ検出部、５４  Ｎカウント値保持部、５５  第１減算部、５６  第２減算部、５７  判定部、５８  スイッチ、９６  電源回路、Ｒ１〜Ｒ４  抵抗。
【図１】
2011176593.tif 000003
【図２】
2011176593.tif 000004
【図３】
2011176593.tif 000005
【図４】
2011176593.tif 000006
【図５】
2011176593.tif 000007
【図６】
2011176593.tif 000008
【図７】
2011176593.tif 000009
【図８】
2011176593.tif 000010
【図９】
2011176593.tif 000011
【図１０】
2011176593.tif 000012
【図１１】
2011176593.tif 000013
【図１２】
2011176593.tif 000014